(57)【要約】【課題】   ドームスイッチ１の構成を簡略化して、ドームスイッチ１の製造時間を短くする。【解決手段】  モールド基板７と；モールド基板７に一体的に設けられてあって、接点部１１及び第１端子部を有したスイッチ導電体９と；  前記モールド基板７の上面に設けられ、縁側にモールド基板７から突出するようにドーム径方向へ延びた第２端子部１９を有してたメタルドーム１５と；  メタルドーム１５を反転させるように押圧可能な操作部材２９と；を具備したこと。【選択図】    図１
2005116475.tif 000002
【特許請求の範囲】
【請求項１】
第１外部導体と第２外部導体との接続状態をＯＮ・ＯＦＦに切り替えるドームスイッチにおいて、
モールド成形によって構成されたモールド基板と；
前記モールド基板に前記モールド成形によって一体的に設けられ、一部分が前記モールド基板に埋まってあって、一端側に前記モールド基板に上面から露出した接点部を有し、他端側に前記モールド基板から突出するように延びかつ前記第１外部導体と直接的に接続可能な第１端子部を有したスイッチ導電体と；
前記モールド基板の上面に前記接点部を覆うように設けられ、縁側に前記モールド基板から突出するようにドーム径方向へ延びかつ前記第２外部導体と直接的に接続可能な第２端子部を有してあって、反転によって前記接点部に接触可能なメタルドームと；
前記メタルドームを反転させるように押圧可能な操作部材と；
を具備してなることを特徴とするドームスイッチ。
【請求項２】
前記第２端子部の前記モールド基板に対する突出長さが少なくとも前記メタルドームのドーム半径よりも長くなるように構成されていることを特徴とする請求項１に記載のドームスイッチ。
【請求項３】
前記メタルドームにおける前記第２端子部の一部分が前記モールド基板に埋まるように構成されていることを特徴とする請求項１又は請求項２に記載のドームスイッチ。
【請求項４】
２つの外部導体の接続状態をＯＮ・ＯＦＦに切り替えるメタルドームスイッチの構成部材の一つであるメタルドームにおいて、
ドーム状に構成されたドーム本体部と；
前記ドーム本体部の縁側に形成され、ドーム径方向へ延びてあって、一方の前記外部導体と直接的に接続可能な端子部と；
を具備したことを特徴とするメタルドーム。
【請求項５】
前記端子部のドーム径方向の長さが少なくとも前記ドーム本体部のドーム半径の１．２倍よりも長くなるように構成されていることを特徴する請求項４に記載のメタルドーム。
【発明の詳細な説明】
【技術分野】
【０００１】
本発明は、ポータブル電気機器、車両用電気機器等に用いられる電子部品の一つであるドームスイッチ、及び前記ドームスイッチの構成部材の一つであるメタルドームに関する。
【背景技術】
【０００２】
従来のドームスイッチについて図４及び図５を参照して説明する。
【０００３】
図４は、従来のドームスイッチの縦断面図であって、図５は、図４におけるII-II線に沿った図である。
【０００４】
ここで、「上下」とは、特許公報掲載時の図面の向きを基準として、図４において上下、図５において紙面に向かって表裏のことをいう。
【０００５】
図４及び図５に示すように、従来のドームスイッチ１０１は、第１外部導体１０３と第２外部導体１０５との接続状態をＯＮ・ＯＦＦに切り替える電子部品であって、モールド成形によって構成されたモールド基板１０７を電子部品ベースとして具備している。
【０００６】
モールド基板１０７には、第１スイッチ導電体１０９が前記モールド成形によって一体的に設けられており、この第１スイッチ導電体１０９の一部分（この場合は大部分）は、モールド基板１０７に埋まっている。また、第１スイッチ導電体１０９は、一端側に、モールド基板１０７の上面から露出した接点部１１１を有しており、第１スイッチ導電体１０９は、他端側に、モールド基板１０７から突出するように延びかつ第１外部導体１０３に直接的に接続可能な第１端子部１１３を有している。
【０００７】
モールド基板１０７には、第２スイッチ導電体１１５が前記モールド成形によって一体的に設けられており、この第２スイッチ導電体１１５の大部分は、モールド基板１０７に埋まっている。また、第２スイッチ導電体１１５は、モールド基板１０７の上面から露出したリング状の当接部１１７と、この当接部１１７に形成された第２端子部１１９を有してあって、第２端子部１１９は、モールド基板１０７から突出するように延びたかつ第２外部導体１０５に接続可能である。
【０００８】
モールド基板１０７の上側には、筒状のホルダ１２１が一体的に設けられており、このホルダ１２１は前記モールド成形とは別のモールド成形によって構成されたものである。また、ホルダ１２１には、反転によって接点部１１１に接触可能なメタルドーム１２３が設けられており、このメタルドーム１２３の周縁はリング状の当接部１１７に当接している。
【０００９】
ホルダ１２１の上側には、カバー１２５が一体的に設けられており、このカバー１２５は、中央部に、開口部１２７を有している。また、ホルダ１２１内におけるメタルドーム１２３の上側には、メタルドーム１２３を反転させるように押圧可能なボタン１２９が上下方向へ移動可能に設けられており、このボタン１２９の頭部は、開口部１２７を介してカバー１２５から上方向へ突出してある。
【００１０】
従って、ボタン１２９を下方向へ移動させて、ボタン１２９によってメタルドーム１２３を反転させるように押圧すると、メタルドーム１２３が接点部１１１に接触して、第１端子部１１３と第２端子部１１９がメタルドーム１２３を介して電気的に接続する。これによって、第１外部導体１０３と第２外部導体１０５との接続状態をＯＦＦからＯＮに切り替えることができる。
【００１１】
なお、第１外部導体１０３と第２外部導体１０５との接続状態をＯＮに切り替えた後で、ボタン１２９の押圧状態を解除すると、メタルドーム１２３が接点部を離れて元の状態に弾性復帰して、第１外部導体１０３と第２外部導体１０５との接続状態をＯＮからＯＦＦに切り替えることができる。
【００１２】
なお、本発明に関連する先行技術として特許文献１に示すものがある。
【特許文献１】特開２０００２−８４８４号公報
【発明の開示】
【発明が解決しようとする課題】
【００１３】
ところで、前述のように、ドームスイッチ１０１は、モールド基板１０７、第１スイッチ導電体１０９、第２スイッチ導電体１１５、ホルダ１２１、ボタン１２９等の多くの構成部材を必要とし、ドームスイッチ１０１の構成が複雑化する。そのため、ドームスイッチ１０１の製造時間が長くなる共に、ドームスイッチ１０１の製造コストが高くなるという問題がある。
【００１４】
そこで、本発明は、従来のドームスイッチ１０１における第２スイッチ導電体１１５に相当する構成部材を省略できる新規な構成のドームスイッチ、及び新規な構成のドームスイッチと課題を共通にする新規な構成のメタルドームを提供することを目的とする。
【課題を解決するための手段】
【００１５】
請求項１に記載の発明にあっては、第１外部導体と第２外部導体との接続状態をＯＮ・ＯＦＦに切り替えるドームスイッチにおいて、
モールド成形によって構成されたモールド基板と；
前記モールド基板に前記モールド成形によって一体的に設けられ、一部分が前記モールド基板に埋まってあって、一端側に前記モールド基板に上面から露出した接点部を有し、他端側に前記モールド基板から突出するように延びかつ前記第１外部導体と直接的に接続可能な第１端子部を有したスイッチ導電体と；
前記モールド基板の上面に前記接点部を覆うように設けられ、縁側に前記モールド基板から突出するようにドーム径方向へ延びかつ前記第２外部導体と直接的に接続可能な第２端子部を有してあって、反転によって前記接点部に接触可能なメタルドームと；
前記メタルドームを反転させるように押圧可能な操作部材と；
を具備してなることを特徴とする。
【００１６】
請求項１に記載の発明特定事項によると、前記操作部材によって前記メタルドームを反転させるように押圧すると、前記メタルドームが前記接点部に接触して、前記第１端子部と前記第２端子部が電気的に接続する。これによって、前記第１外部導体と前記第２外部導体との接続状態をＯＦＦからＯＮに切り替えることができる。
【００１７】
なお、前記第１外部導体と前記第２外部導体との接続状態をＯＮに切り替えた後で、前記操作部材の押圧状態を解除すると、前記メタルドームが前記接点部を離れて元の状態に弾性復帰して、前記第１外部導体と前記第２外部導体との接続状態をＯＮからＯＦＦに切り替えることができる。
【００１８】
また、前述の作用の他に、前記メタルドームは、縁側に、前記モールド基板から突出するようにドーム径方向へ延びかつ前記第２外部導体と直接的に接続可能な第２端子部を有してあるため、前記ドームスイッチの構成から従来のドームスイッチ１０１における第２スイッチ導電体１１５に相当する構成部材を省略して、前記ドームスイッチの構成を簡略化することができる。
【００１９】
請求項２に記載の発明にあっては、請求項１に記載の発明特定事項の他に、前記第２端子部の前記モールド基板に対する突出長さが少なくとも前記メタルドームのドーム半径よりも長くなるように構成されていることを特徴とする。
【００２０】
請求項２に記載の発明特定事項によると、請求項１に記載の発明特定事項による作用の他に、前記第２端子部の前記モールド基板に対する突出長さが少なくとも前記メタルドームのドーム半径よりも長くなるため、前記第２端子部を前記第２外部導体に接続する際に、前記モールド基板がほとんど障害になることなくなる。
【００２１】
請求項３に記載の発明にあっては、請求項１又は請求項２に記載の発明特定事項の他に、前記メタルドームにおける前記第２端子部の一部分が前記モールド基板に埋まるように構成されていることを特徴とする。
【００２２】
請求項３に記載の発明特定事項によると、請求項１又は請求項２に記載の発明特定事項による作用の他に、前記第２端子部の一部分が前記モールド基板に埋まっているため、前記メタルドームが前記モールド基板から外れたりすることを確実に防止することができる。
【００２３】
請求項４に記載の発明にあっては、２つの外部導体の接続状態をＯＮ・ＯＦＦに切り替えるメタルドームスイッチの構成部材の一つであるメタルドームにおいて、
ドーム状に構成されたドーム本体部と；
前記ドーム本体部の縁側に形成され、ドーム径方向へ延びてあって、一方の前記外部導体と直接的に接続可能な端子部と；
を具備したことを特徴とする。
【００２４】
請求項４に記載の発明特定事項からなる前記メタルドームを前記ドームスイッチに構成部材として用いた場合には、請求項１に記載の発明特定事項によるによる作用と同様の作用を奏する。
【００２５】
請求項５に記載の発明にあっては、前記端子部のドーム径方向の長さが少なくとも前記ドーム本体部のドーム半径の１．２倍よりも長くなるように構成されていることを特徴する。
【００２６】
請求項５に記載の発明特定事項からなる前記メタルドームを前記ドームスイッチに構成部材として用いた場合には、請求項２に記載の発明特定事項によるによる作用と同様の作用を奏する。
【発明の効果】
【００２７】
請求項１から請求項５のうちのいずれかの請求項に記載の発明によれば、前記ドームスイッチの構成から従来のドームスイッチ１０１における第２スイッチ導電体１１５に相当する構成部材を省略して、前記ドームスイッチの構成を簡略化できるため、前記ドームスイッチの製造時間を短くして、前記ドームスイッチの製造性（生産性）を高めることができるとと共に、前記ドームスイッチの製造コストの低下を図ることができる。
【００２８】
また、請求項２、請求項３、請求項５のうちのいずれかの請求項に記載の発明によれば、前述の効果を奏する他に、前記第２端子部を前記第２外部導体に直接的に接続する際に、前記モールド基板がほとんど障害になることなくなるため、種々の接合形態を用いて、前記第２端子部を前記第２外部導体に直接に接続することができ、前記ドームスイッチの利用価値を高めることができる。
【００２９】
更に、請求項３に記載の発明によれば、前述の効果を奏する他に、前記メタルドームが前記モールド基板から外れたりすることを確実に防止できるため、前記ドームスイッチの長期に亘って安定して使用することができる。
【発明を実施するための最良の形態】
【００３０】
本発明の最良の形態について図１から図３を参照して説明する。
【００３１】
図１は、本発明の最良の形態に係わるドームスイッチの縦断面図であって、図２は、図１におけるI-I線に沿った図であって、図３は、本発明の最良の形態に係わるドームスイッチの平面図である。
【００３２】
ここで、「上下」とは、特許公報掲載時の図面の向きを基準として、図１において上下、図２及び図３において紙面に向かって表裏のことをいう。
【００３３】
図１から図３に示すように、本発明の最良の形態に係わるドームスイッチ１は、第１外部導体３と第２外部導体５との接続状態をＯＮ・ＯＦＦに切り替える電子部品であって、モールド成形によって構成されたモールド基板７を電子部品ベースとして具備している。
【００３４】
モールド基板７には、スイッチ導電体９が前記モールド成形によって一体的に設けられており、このスイッチ導電体９の一部分（この場合は大部分）は、モールド基板７に埋まっている。また、スイッチ導電体９は、一端側に、モールド基板７の上面から露出した接点部１１を有しており、スイッチ導電体９は、他端側に、モールド基板７から突出するように延びかつ第１外部導体３と直接的に接続可能な第１端子部１３を有している。
【００３５】
なお、第１端子部１３と第１外部導体３との接続は、融着による接続、ハンダによる接合、又はカシメによる接合等、接合態様を問わない。
【００３６】
モールド基板７には、反転によって接点部１１に接触可能なメタルドーム１５が前記モールド成形によって一体的に設けられており、このメタルドーム１５の具体的な構成は次のようになる。
【００３７】
即ち、図１及び図２に示すように、メタルドーム１５は、ドーム状に構成されたドーム本体部１７を備えており、このドーム本体部１７の縁側には、第２外部導体５と直接的に接続可能な第２端子部１９が形成されてあって、第２端子部１９の一部は、モールド基板７に埋まるように構成されている。なお、第２端子部１９と第２外部導体５との接続は、融着による接続、ハンダによる接合、又はカシメによる接合等、接合態様を問わない。
【００３８】
ここで、第２端子部１９は、モールド基板７から突出するようにドーム径方向（ドーム本体部１７の径方向）へ延びてあって、第２端子部１９のドーム径方向の長さL2が少なくともドーム本体部１７のドーム半径（ドーム本体部１７のドーム半径）Rの１．２倍よりも長くなるように構成されており、換言すれば、第２端子部１９のモールド基板７に対する突出長さL1が少なくともメタルドーム１５のドーム半径Rのよりも長くなるように構成されている。
【００３９】
また、ドーム本体部１７の縁側には、ドーム径方向へ延びた取付足部２１が第２端子部１９に対称的に形成されており、取付足部２１は、モールド基板７に埋まるように構成されている。なお、取付足部２１の数を増やしても差し支えない。
【００４０】
再び、図１から図３に示すように、モールド基板７の上側には、筒状のホルダ２３が一体的に設けられており、このホルダ２３は、前記モールド成形とは別のモールド成形によって構成されたものである。なお、ホルダ２３が前記別のモールド成形によってモールド基板７に一体的に設けられる代わりに、熱カシメ等によって一体的に設けられるようにしても差し支えない。また、ホルダ２３とモールド基板７を同時に一括モールド成形により製作してもよい。
【００４１】
ホルダ２３の上側には、カバー２５が一体的に設けられており、このカバー２５は、中央部に、開口部２７を有している。また、ホルダ２３内におけるメタルドーム１５の上側には、メタルドーム１５を反転させるように押圧可能なボタン（操作部材の一例）２９が上下方向へ移動可能に設けられており、このボタン２９の頭部は、開口部２７を介してカバー２５から上方向へ突出してある。なお、ボタン２９の代わりに、シート状の操作部材を用いても差し支えない。
【００４２】
次に、本発明の最良の形態の作用について説明する。
【００４３】
ボタン２９によってメタルドーム１５を反転させるように押圧すると、メタルドーム１５が接点部１１に接触して、第１端子部１３と第２端子部１９が電気的に接続する。これによって、第１外部導体３と第２外部導体５との接続状態をＯＦＦからＯＮに切り替えることができる。
【００４４】
なお、第１外部導体３と第２外部導体５との接続状態をＯＮに切り替えた後で、ボタン２９の押圧状態を解除すると、メタルドーム１５が接点部１１を離れて元の状態に弾性復帰して、第１外部導体３と第２外部導体５との接続状態をＯＮからＯＦＦに切り替えることができる。
【００４５】
また、前述の作用の他に、メタルドーム１５は、縁側に、モールド基板７から突出するようにドーム径方向へ延びかつ第２外部導体５と直接的に接続可能な第２端子部１９を有してあるため、ドームスイッチ１の構成から従来のドームスイッチ１０１における第２スイッチ導電体１１５に相当する構成部材を省略して、ドームスイッチ１の構成を簡略化することができる。
【００４６】
また、前述の作用の他に、第２端子部１９のモールド基板７に対する突出長さL1が少なくともメタルドーム１５のドーム半径Rのよりも長くなるため、第２端子部１９を第２外部導体５に接続する際に、モールド基板７がほとんど障害になることなくなる。
【００４７】
更に、第２端子部１９の一部分及び取付足部２１がモールド基板７に埋まっているため、メタルドーム１５がモールド基板７から外れたりすることを確実に防止することができる。
【００４８】
以上の如き、本発明の最良の形態によれば、ドームスイッチ１の構成から従来のドームスイッチ１０１における第２スイッチ導電体１１５に相当する構成部材を省略して、ドームスイッチ１の構成を簡略化できるため、ドームスイッチ１の製造時間を短くして、ドームスイッチ１の製造性（生産性）を高めることができるとと共に、ドームスイッチ１の製造コストの低下を図ることができる。
【００４９】
また、第２端子部１９を第２外部導体５に直接的に接続する際に、モールド基板７がほとんど障害になることなくなるため、種々の接合形態を用いて、第２端子部１９を第２外部導体５に直接に接続することができ、ドームスイッチ１の利用価値を高めることができる。
【００５０】
更に、メタルドーム１５がモールド基板７から外れたりすることを確実に防止できるため、ドームスイッチ１の長期に亘って安定して使用することができる。
【００５１】
なお、本発明は、前述の発明の最良の形態に限るものではなく、適宜の変更を行うことにより、その他種々の態様で実施可能である。
【図面の簡単な説明】
【００５２】
【図１】本発明の最良の形態に係わるドームスイッチの縦断面図である。
【図２】図１におけるI-I線に沿った図である。
【図３】本発明の最良の形態に係わるドームスイッチの平面図である。
【図４】従来のドームスイッチの縦断面図である。
【図５】図４におけるII-II線に沿った図である。
【符号の説明】
【００５３】
１…ドームスイッチ
３…第１外部導体
５…第２外部導体
７…モールド基板
９…スイッチ導電体
１１…接点部
１３…第１端子部
１５…メタルドーム
１７…ドーム本体部
１９…第２端子部
２１…取付足部
２３…ホルダ
２５…カバー
２７…開口部
２９…ボタン
【図１】
2005116475.tif 000003
【図２】
2005116475.tif 000004
【図３】
2005116475.tif 000005
【図４】
2005116475.tif 000006
【図５】
2005116475.tif 000007